(57)【特許請求の範囲】
【請求項１】
中心軸線を含む面で二分割されると共にそれら断面が半裁面壁により覆われる一対の半裁筒体からなり、前記両半裁筒体の前記中心軸線と直交する方向における一側端縁がヒンジ部により連結され、前記両半裁筒体を閉じた状態で前記両半裁面壁間に前記中心軸線に沿って支線を挿通する支線挿通孔を設けると共に該支線挿通孔と連通した収納空洞部が形成された蔓巻防止具本体と、前記蔓巻防止具本体の収納空洞部内に位置するように前記支線に狭着して該蔓巻防止具本体が該支線の下方へ移動することを防止する支線止め具と、からなり、
前記支線止め具は、中心軸線を含む面で二分割されると共にそれら断面が半裁面壁により覆われる一対の半裁体からなり、前記両半裁体の前記中心軸線と直交する方向における一側端縁がヒンジ部により連結され、前記両半裁体を閉じた状態で前記両半裁面壁間に前記中心軸線に沿って支線を挿通する支線挿通孔が設けられていると共に該支線挿通孔と連通した凹部が形成され、さらに該支線止め具の凹部内には前記支線に沿って一方向のみに摺動可能なように該支線に挟着し得る挟着装置が設けられ、
他方、前記蔓巻防止具本体の収納空洞部の内径を前記支線止め具の外径に比べて大きくし、前記蔓巻防止具本体が前記支線に狭着された前記支線止め具を前記収納空洞部内に収納した状態で該支線を軸として回転可能であることを特徴とする電柱支線用蔓巻防止具。
【請求項２】
前記収納空洞部の内周面に前記支線止め具の外周面との間の摩擦を軽減する摩擦軽減手段を設けた請求項１に記載の電柱支線用蔓巻防止具。
【請求項３】
前記支線止め具の外周面に前記収納空洞部の内周面との間の摩擦を軽減する摩擦軽減手段を設けた請求項１に記載の電柱支線用蔓巻防止具。
【発明の詳細な説明】
【技術分野】
【０００１】
本発明は、蔓性植物が生茂る場所において電柱を支える支線に装着され、該蔓性植物が該支線に沿って巻き上がるのを防ぐために用いる電柱支線用蔓巻防止具に関するものである。
【背景技術】
【０００２】
従来、一般の地面に建柱される電柱は、地上から電柱の上端部近くまで支線を斜めに張設して支持補強されている。ところで、例えば山間部や森林地帯であってしかも蔦や葛といった蔓性植物が群生している地域に電柱を建柱した場合、前記蔦や葛の蔓草が前記支線を巻き上がって電柱上部に達してしまい、これが地絡事故を発生させる一要因になっている。そこで、その地絡事故の発生を防止すべく、支線の一定の高さ位置に蔓草が巻き上がるのを防止することができる大きさであって所定の直径を有する円筒状の電柱支線用蔓巻防止具を装着している。
【０００３】
前記電柱支線用蔓巻防止具は、その中心軸線が含まれる面によって二等分割された一対の半裁筒体からなる。両半裁筒体は、中心軸線と平行な一側端縁がヒンジ部によって連接され他側端縁が自在に開閉するようになっている。また、一方の半裁筒体内に、支線に沿ってその一方向のみに摺動可能なように該支線に挟着固定し得る挟着機構が一体に組み込まれている。そして、両半裁筒体の間に支線を介在させると共に前記挟着機構を支線に挟着固定することにより、電柱支線用蔓巻防止具を支線の所定高さ位置に装着するようにしている（例えば、特許文献１参照。）。
【特許文献１】特開平１１−９５号公報（第４−６頁、図１、図４、図１０）
【発明の開示】
【発明が解決しようとする課題】
【０００４】
ところで、前記特許文献１の電柱支線用蔓巻防止具は、その自重により常に支線に沿って下方へ滑り落ちようとする力が働いている。また、蔓草が巻き上がるのを防止するために電柱支線用蔓巻防止具は比較的大きく成形されることから、逆に風の影響を受け易い。風に煽られると電柱支線用蔓巻防止具に振動や揺れが生じ、これにより支線を中心軸線とした回転力も加わる。一方、電柱支線用蔓巻防止具は、挟着機構により支線に挟着固定されているものの、該挟着機構は電柱支線用蔓巻防止具に一体に固着されていることから、前記振動、揺れ、回転力の影響を直接受ける。すなわち、電柱支線用蔓巻防止具が支線の回りに回転しようとすると、その回転力によって支線と挟着機構との間に滑りが発生し最終的に電柱支線用蔓巻防止具が回転してしまう。これにより、電柱支線用蔓巻防止具が支線に沿って徐々に下方へずり落ちて地面近くにまで達してしまい、本来の蔓巻防止機能が発揮できなくなるという課題があった。
【０００５】
前記電柱支線用蔓巻防止具が支線に沿って下方へずり落ちるのは、一般に支線が数本の鋼線を螺旋状により合わせて成形されているからであって、挟着機構がその外周面、すなわち螺旋状の外周面に沿って滑って回転すると、そのまま下方へ摺動してしまうからである。
【０００６】
そこで、本発明は上記課題に鑑みてなされたもので、風に煽られても支線に装着された電柱支線用蔓巻防止具がその支線に沿って必要もなくずり落ちないようにして、本来の蔓巻防止機能を常に発揮できるようにした電柱支線用蔓巻防止具を提供することを目的とするものである。
【課題を解決するための手段】
【０００７】
かかる目的を達成するため本発明の電柱支線用蔓巻防止具は、支線に取付けられ、その内部に収納空洞部を形成した蔓巻防止具本体と、前記蔓巻防止具本体の収納空洞部内に位置して前記支線に固定され該蔓巻防止具本体が該支線の下方へ移動することを防止する支線止め具と、からなり、前記蔓巻防止具本体は前記支線に固定された前記支線止め具を前記収納空洞部内に収納した状態で該支線を軸として回転可能であることを特徴とする。
【０００８】
また、本発明の蔓巻防止具本体は、中心軸線を含む面で二分割される一対の半裁筒体からなり、前記収納空洞部は、前記一対の半裁筒体に前記中心軸線に沿って前記支線を挿通する支線挿通孔と連通して設けられ、その内径は前記支線止め具の外径に比べて大きいことを特徴とする。
【０００９】
さらに、本発明の支線止め具は、前記支線に沿って一方向のみに摺動可能なように該支線に挟着固定し得る挟着装置を設けていることを特徴とする。
【００１０】
なお、前記支線止め具の外周面に前記収納空洞部の内周面との間の摩擦を軽減する摩擦軽減手段を設けることが好ましい。例えば、摩擦軽減手段として、外周面から突設される複数の半球状の突部が採られる。また、前述した摩擦軽減手段の代わりに前記収納空洞部の内周面に前記支線止め具の外周面との間の摩擦を軽減する摩擦軽減手段を設けることも考えられる。例えば、摩擦軽減手段として、内周面から突設される複数の半球状の突部が採られる。
【００１１】
支線止め具の形状は、例えば球形状、略おむすび形状、先端が半球状をなすドーム形状がある。また、摩擦軽減手段には、半球状の突部の他に摩擦が軽減できる形状であれば他の形状であっても良い。前記支線止め具は、支線に装着すると共に蔓巻防止具本体の収納空洞部内に収納して使用されるが、蔓巻防止具本体の外側であってその下流側の面を受け止めるようにして使用することもできる。特に、収納空洞部のない蔓巻防止具本体について使用する場合にその実益がある。
【発明の効果】
【００１２】
本発明の電柱支線用蔓巻防止具は、蔓巻防止具本体と支線止め具とをそれぞれ分離して別個に設け、蔓巻防止具本体内に収納空洞部を成形すると共に該収納空洞部内に支線止め具を収納してなり、支線止め具は該収納空洞部の内周面に摩擦軽減手段を介して接触するようになっている。よって、支線止め具と収納空洞部の内周面との間の摩擦が軽減され、風に煽られた場合に蔓巻防止具本体のみが支線を中心軸線として回転することとなり、支線止め具は風の影響をほとんど受けない。すなわち、蔓巻防止具本体は、装着された位置で回転するのみであって支線に沿ってずり落ちることはない。これにより、本来の蔓巻防止機能を常に発揮できるという効果を奏する。
【００１３】
収納空洞部の内周面または支線止め具の外周面のいずれかに、半球状に複数個突設する突部といった摩擦軽減手段を採れば、それら内周面と該内周面に摺接する外周面との摩擦が小さくなり、電柱支線用蔓巻防止具のずり落ち防止効果が更に高められる。
【発明を実施するための最良の形態】
【００１４】
以下、本発明に係る電柱支線用蔓巻防止具の実施の形態を図面に基づき説明する。本発明にあっては、第一乃至第二実施の形態に係る蔓巻防止具本体と第一乃至第三支線止め具が使用される。そこで、まず、第一蔓巻防止具本体及び第一支線止め具を使った第一実施の形態について説明する。図１乃至図１２は第一実施の形態を示すものである。図１は第一蔓巻防止具本体及び第一支線止め具の斜視図、図２は第一蔓巻防止具本体の開いた状態を示す斜視図、図３は図１のＷ−Ｗ線拡大断面図、図４は第一支線止め具の開いた状態を示す斜視図、図５は図１のＸ−Ｘ線拡大断面図、図６は図５のＹ−Ｙ線断面図である。この第一蔓巻防止具本体Ａ１は、後記するように第一支線止め具Ｂ１と共に支線Ｄに装着され、該支線Ｄに蔓性植物が巻き上がるのを防ぐ。
【００１５】
第一蔓巻防止具本体Ａ１は、円柱状の防止具本体１からなる。該防止具本体１は、遮光性を有する合成樹脂、例えば黒色のポリエチレン樹脂により成形され、筒状例えば所定の直径を有する円筒体をなすと共にその中心軸線を含む両端面は塞がれている。更に、詳しく説明すると防止具本体１は、図２に示すようにその中心軸線に沿って二等分割された一対の半裁筒体３ａ，３ｂからなる。各半裁筒体３ａ，３ｂは互いの半裁面が塞がれ、中心軸線を挟んだ平行な一側端縁４ａ，４ａがヒンジ部５によって連接されると共に、これと対向位置する中心軸線と平行な他側端縁４ｂ，４ｂ側が自在に開閉するようになっている。そして、一方の半裁筒体３ａの他側端縁４ｂの長手方向に沿った両側に雄型係合部材６ａ，６ａが一体に設けられ、他方の半裁筒体３ｂの他側端縁４ｂの長手方向に沿った両側に、前記両雄型係合部材６ａ，６ａと対向位置してこれら雄型係合部材６ａ，６ａが係脱自在に係合し得る雌型係合部材６ｂ，６ｂが一体に設けられている。
【００１６】
前記各雄型係合部材６ａは、弾性を有しかつ一定の間隔離れた平行な二股状の係止片７，７を有し、各係止片７の先端外側に外側を向く係止爪８が突設されている。また、各雌型係合部材６ｂは、前記二股状の係止片７，７と対向する面に該二股状の係止片７，７がその弾性に抗して嵌入し得る程度の大きさの挿入口９を有した方形枠状に成形され、両側面には両係止片７，７が挿入されたとき外側の各係止爪８，８が係合し得る係合孔１０，１０が開設されている。更に、係合した状態で、各係合孔１０の外側から各係止爪８をその弾性に抗して互いに内側に押し込むことにより両係止爪８，８の係合が外れ、両係止片７，７が挿入口９から抜け出るようになっている。
【００１７】
各半裁筒体３ａ，３ｂの互いに重なり合う各半裁面壁１１ａ，１１ｂに、防止具本体１の中心軸線に沿って横断面半円弧状の凹条部１２，１２が凹設される。そして、図３に示すように前記半裁筒体３ａ，３ｂを閉じたとき、両凹条部１２，１２が合致し防止具本体１の中心軸線に沿って該中心軸方向の両側端壁１３，１３で開口し支線Ｄを挿通する支線挿通孔１４が成形される。該支線挿通孔１４の内径は、支線Ｄの外径よりも少し大きい寸法に設定されている。よって、前記中心軸線と支線Ｄの中心軸線とはほぼ一致することになる。また、前記両半裁面壁１１ａ，１１ｂのほぼ中央位置に、対向位置して同じ大きさの半球状の凹窪部１５ａ，１５ｂが凹設される。そして、前記各半裁筒体３ａ，３ｂを閉じたとき、各凹窪部１５ａ，１５ｂが合致して内部が防止具本体１の中心軸線を中心とした中空球体となる収納空洞部１６が成形される。該収納空洞部１６は、前記支線挿通孔１４と互いに連通している。収納空洞部１６内には、防止具本体１を支線Ｄに装着するとき次に詳しく説明する第一支線止め具Ｂ１が収納される。
【００１８】
第一支線止め具Ｂ１も遮光性を有する合成樹脂、例えば黒色のポリエチレン樹脂により成形され、前記収納空洞部１６が中空球体の場合、該中空球体の直径よりもやや小さい直径の中空球体に成形される。また、第一支線止め具Ｂ１は、図４に示すように二等分割された一対の半裁体である半裁球体１７ａ，１７ｂからなる。各半裁球体１７ａ，１７ｂはその半裁面が半裁面壁１８ａ，１８ｂにより覆われ、中心軸線を挟んでその一側端縁１９ａ，１９ａがヒンジ部２０を介して連接されると共に、該ヒンジ部２０を中心として他側端縁１９ｂ，１９ｂ側が自在に開閉するようになっている。そして、前記半裁面壁１８ａ，１８ｂには、それら半裁面壁１８ａ，１８ｂ面においてその中心軸線、すなわち直径に沿って断面半円弧状の凹条部２１，２１が凹設される。これら凹条部２１，２１と直交する線上に、前記ヒンジ部２０が位置する。図５に示すように前記半裁球体１７ａ，１７ｂを閉じたとき前記各凹条部２１が合致し、前記直径に沿って両端面で開口し支線Ｄを挿通するための支線挿通孔２２が成形される。該支線挿通孔２２の内径も、支線Ｄの外径よりも少し大きい寸法に設定される。よって、支線挿通孔２２の中心軸線と支線Ｄの中心軸線とは、ほぼ一致することになる。
【００１９】
各半裁球体１７ａ，１７ｂの対向する半裁面壁１８ａ，１８ｂには、それらほぼ中央に互いに対応位置して大きさの異なる方形状の凹窪部２３ａ，２３ｂが成形される。これら凹窪部２３ａ，２３ｂは半裁球体１７ａ，１７ｂを閉じたとき、合致すると共にその中央で支線挿通孔２２と連通することになる。この内、一方の半裁球体１７ａの小さい凹窪部２３ａ内には、一側面２４ａが前記凹条部２１の底部よりやや下方に位置するプレート２４が配置される。該プレート２４は、その各四隅部にクランク状の取付片２５が一体に突設され、半裁面壁１８ａに各取付片２５を介してネジ２６止めすることにより固定される。前記プレート２４の一側面２４ａに、支線Ｄを挟着する挟着機構２７が設けられる。該挟着機構２７は、前記凹条部２１を挟んだ一側に位置してその凹条部２１と平行に突設されるストッパー片２８と、他側に位置し支軸２９ａに軸着されてプレート２４の一側面２４ａに沿って自在に回動するカム片２９とからなる。そして、ストッパー片２８とカム片２９との間に支線挿通孔２２に挿通した支線Ｄが介在して挟着され、該挟着機構２７が第一支線止め具Ｂ１と共に支線Ｄに沿ってその一方向のみに摺動し得るようになる。
【００２０】
前記カム片２９を更に詳しく説明すると、該カム片２９は、例えば、ねじりバネ（図示せず。）により、支軸２９ａを中心として常に一定の方向（図６で時計回り方向）に回動するように付勢されている。また、前記ストッパー片２８と対向する対向面２９ｂは、該対向面２９ｂと支軸２９ａとの距離が漸次変化するように成形されている。図６でカム片２９がその付勢により実線位置へ回動するとき、対向面２９ｂとストッパー片２８との一番近い間隔は漸次狭くなる。すなわち、ストッパー片２８とカム片２９の対向面２９ｂとの距離が漸次狭まることにより、その間に位置する支線Ｄがきつく挟着され、第一支線止め具Ｂ１が支線Ｄに挟着固定されることになる。前記カム片２９の一側面には、その付勢に抗してカム片２９を回動させるための摘み３０が突設されている。
【００２１】
前記対向する半裁面壁１８ａ，１８ｂの他側端縁１９ｂ側に、それぞれ対向する面を異極とする磁石３１ａ，３１ｂが埋め込まれ、その対向面が共に外部に露出している。そこで、両半裁球体１７ａ，１７ｂを閉じると、前記磁石３１ａ，３１ｂが互いに吸着して第一支線止め具Ｂ１がその球体形状を保持する。
【００２２】
第一実施の形態にあっては、前記第一支線止め具Ｂ１が前記収納空洞部１６内に収納された状態で、第一支線止め具Ｂ１の外周面ｂ１と収納空洞部１６の内周面１６ａとの摩擦を軽減する必要がある。このため、収納空洞部１６の内径を例えば１１０ｍｍに設定するのに対し、第一支線止め具Ｂ１の外径を例えば１００ｍｍに設定する。そして、第一支線止め具Ｂ１の外周面ｂ１に、図５に示すように摩擦軽減手段として外側へ突出する半球状の突部３２を複数設けて接触面積を少なくしている。これにより、摩擦が軽減されることになる。この場合、第一支線止め具Ｂ１の外周面ｂ１に摩擦軽減手段として突部３２を設けるようにしたが、逆に、収納空洞部１６の内周面１６ａに、半球状の突部３２を複数設けるようにしても良い。また、該収納空洞部１６の内径に対し第一支線止め具Ｂ１の外径が小さく、突部３２無しでも径の異なる球体同士が接触するとき互いの接触面積が小さくなり摩擦が軽減されることから、径の異なる球体同士を接触させることも摩擦軽減手段になる。
【００２３】
第一実施の形態に係る第一蔓巻防止具本体Ａ１及び第一支線止め具Ｂ１は上記構成からなり、次にその使用方法を図７乃至図１２に基づき説明する。Ｄは電柱（図示せず。）に斜めに架設された支線であり、該支線Ｄは数本の鋼線を螺旋状に撚り合わせて成形されている。そこで、まず、図７に示すように第一支線止め具Ｂ１の半裁球体１７ａ，１７ｂを開き、摘み３０を摘んでカム片２９をその付勢に抗して図７矢視方向へ回動させる。この際、カム片２９における対向面２９ｂが、支線Ｄの上流側を向くように第一支線止め具Ｂ１を配する。これにより、ストッパー片２８とカム片２９の対向面２９ｂとの間隔が、支線Ｄを介在できるように広がる。そして、カム片２９が軸着された側の半裁球体１７ａの半裁面壁１８ａに支線Ｄを宛がい、該支線Ｄを凹条部２１内及びストッパー片２８とカム片２９との間に配置する。この状態で、カム片２９を放すと、図８矢視方向に示すようにカム片２９がその付勢によりストッパー片２８側へ回動し、支線Ｄをストッパー片２８側へ押して挟着する。そして、両半裁球体１７ａ，１７ｂを閉じる。これにより、両磁石３１ａ，３１ｂが吸着して第一支線止め具Ｂ１の球体形状を保持する。
【００２４】
このように、ストッパー片２８とカム片２９とにより支線Ｄを挟着した状態では、図９に示すように第一支線止め具Ｂ１が地上から所定高さ位置にしっかりと挟着固定される。そこで、仮に、外力が働いて第一支線止め具Ｂ１が支線Ｄに沿って回転せずにそのまま下方へずり落ちようとしても、カム片２９の対向面２９ｂの形状がその付勢方向へ回動するのに伴いストッパー片２８との距離が狭まるように成形されているので、第一支線止め具Ｂ１が図６矢視方向のように支線Ｄに沿って下方（左側）へ摺動しようとし、更に、カム片２９が支線Ｄの外周面に押し付けられ該支線Ｄを強く挟着することになる。これにより、第一支線止め具Ｂ１のずり落ちが防止される。
【００２５】
次に、図１０に示すように第一蔓巻防止具本体Ａ１を開き、支線Ｄに一方の半裁筒体３ｂの半裁面壁１１ｂを下側から当て、凹窪部１５ｂ内に前記第一支線止め具Ｂ１を収納すると共に凹条部１２に支線Ｄを沿わせて配置する。この状態で、図１１に示すように他方の半裁筒体３ａを被せ、各係止片７を挿入口９に挿入して両雌型係合部材６ｂ，６ｂに両雄型係合部材６ａ，６ａを係合させる。これにより、支線Ｄが支線挿通孔１４に挿通され、該支線Ｄに第一蔓巻防止具本体Ａ１が装着される。この状態では、図１２に示すように収納空洞部１６内に第一支線止め具Ｂ１が収納され、しかも、第一支線止め具Ｂ１の外周面ｂ１に突出する多数の突部３２の一部が前記収納空洞部１６の内周面１６ａに接触することになる。第一支線止め具Ｂ１と収納空洞部１６の内周面１６ａとの接触面積は少なく、その間の摩擦が極めて小さくなっている。よって、仮に、第一蔓巻防止具本体Ａ１が支線Ｄを中心軸線として回転しても、第一支線止め具Ｂ１は支線Ｄにしっかりと固定され、該支線Ｄを中心軸線としてほとんど回転するようなことはない。すなわち、第一支線止め具Ｂ１は第一蔓巻防止具本体Ａ１の回転動作によってほとんど影響を受けないことである。
【００２６】
このようにして、長期に亘り第一蔓巻防止具本体Ａ１及び第一支線止め具Ｂ１からなる電柱支線用蔓巻防止具が使用されることになる。その間、例えば、第一蔓巻防止具本体Ａ１が風に煽られたり振動が与えられたりして該第一蔓巻防止具本体Ａ１が支線Ｄを中心軸線として回転することがある。しかし、第一支線止め具Ｂ１の外周面ｂ１と収納空洞部１６の内周面１６ａとの接触面積は少なく、その間の摩擦は軽減されているので、第一蔓巻防止具本体Ａ１が風に煽られて回転したとしても、第一支線止め具Ｂ１はその影響を受けることがなく支線Ｄを中心として回転することはない。よって、第一蔓巻防止具本体Ａ１は、装着された位置で回転するのみであって該支線Ｄに沿ってずり落ちることがない。これにより、本発明の電柱支線用蔓巻防止具は本来の蔓巻防止機能が常に発揮でき、電柱上部の地絡事故の発生を未然に抑えることができる。
【００２７】
また、第一蔓巻防止具本体Ａ１は、第一支線止め具Ｂ１の一対の半裁球体１７ａ，１７ｂが磁石３１ａ，３１ｂにより開閉自在に設けられ、防止具本体１の半裁筒体３ａ，３ｂは一対の雌・雄型係合部材６ａ，６ｂにより開閉自在に設けられているので、別途に連結固定するための工具を必要とすることがなく簡単にその操作が行なえる。
【００２８】
図１３乃至図１６は、第一蔓巻防止具本体及び第二支線止め具を使った第二実施の形態を示すものである。なお、第二実施の形態では、第一支線止め具Ｂ１と比較して第二支線止め具Ｂ２はその外周面の形状及び突部の有無が相違するのみであって、他の部位は同一構造となるので、第一実施の形態と同一部位は同一番号を付すことにより詳しい説明は省略する。図１３は第二支線止め具の開いた状態を示す斜視図、図１４は第二支線止め具が支線に装着された状態を示す斜視図、図１５は第一蔓巻防止具本体が支線に装着された状態を示す斜視図、図１６は第一蔓巻防止具本体の支線に沿って切断した中央拡大断面図である。
【００２９】
第二支線止め具Ｂ２も、遮光性を有する合成樹脂、例えば黒色のポリエチレン樹脂により成形される。そして、該第二支線止め具Ｂ２は、前記収納空洞部１６内に収容できる大きさであってやや小さく、外形形状が前記支線Ｄに装着したときその上流側に進むに従い漸次窄まる略おむすび形状に成形され、その上端面は弧面４０に成形される。この場合、その第二支線止め具Ｂ２の外周面ｂ２である外形形状が摩擦軽減手段となる。該第二支線止め具Ｂ２は、二等分割された一対の半裁体としての半裁殻体４１ａ，４１ｂからなり、中心軸線を挟んだ一側端縁４２ａ，４２ａがヒンジ部４３を介して連接されると共に、該ヒンジ部４３を中心として他側端縁４２ｂ，４２ｂが自在に開閉する。各開閉側の他側端縁４２ｂ，４２ｂには、一方に係合凹部４４が設けられ、他方には弾性を有すると共に先端に係止爪４５ａを有し、前記係合凹部４４に係脱自在に係合する係合凸部４５が突設されている。そして、一方の半裁殻体４１ａに、挟着機構２７が設けられる。この際、カム片２９における対向面２９ｂが、前記弧面４０と同じ側を向いている。
【００３０】
第二実施の形態に係る第一蔓巻防止具本体Ａ１及び第二支線止め具Ｂ２は上記構成からなり、まず、図１３に示すように第二支線止め具Ｂ２の半裁殻体４１ａ，４１ｂを開き、前記と同様にして凹条部２１に支線Ｄを挿通すると共にカム片２９とストッパー片２８との間で支線Ｄを挟着する。この際、上端面である弧面４０が支線Ｄの上流側に位置するようにする。この状態で、両半裁殻体４１ａ，４１ｂを閉じ、係合凹部４４に係合凸部４５を係合させる。これにより、図１４に示すように第二支線止め具Ｂ２が地上から所定高さ位置の支線Ｄにずり落ちることなくしっかりと固定される。
【００３１】
次に、第一蔓巻防止具本体Ａ１を開き、一方の半裁筒体３ｂの半裁面壁１１ｂを支線Ｄに下側から当て、凹窪部１５ｂ内に前記第二支線止め具Ｂ２を収納すると共に凹条部１２に支線Ｄを沿わせて配置する。そして、他方の半裁筒体３ａを被せ、各係止片７を挿入口９に挿入して両雌型係合部材６ｂ，６ｂに両雄型係合部材６ａ，６ａを係合させる。これにより、図１５に示すように支線Ｄが支線挿通孔１４に挿通された状態で、該支線Ｄに第一蔓巻防止具本体Ａ１が装着される。この状態では、図１６に示すように収納空洞部１６内に第二支線止め具Ｂ２が収納され、しかも、収納空洞部１６の内周面１６ａが球面をしているのに対し、第二支線止め具Ｂ２の外周面ｂ２が、支線Ｄの上流側を漸次窄ませた略おむすび形状をしている。よって、第二支線止め具Ｂ２の外周面ｂ２の内、ほぼ上端面の弧面４０のみが収納空洞部１６の内周面１６ａに接触することになり、この場合も第二支線止め具Ｂ２と収納空洞部１６の内周面１６ａとの接触面積が少なく、その間の摩擦が極めて小さい。よって、第一蔓巻防止具本体Ａ１が支線Ｄを中心軸線として回転しても、第二支線止め具Ｂ２は支線Ｄにしっかりと挟着固定され、該支線Ｄを中心として回転することはない。すなわち、第二支線止め具Ｂ２は、第一蔓巻防止具本体Ａ１の回転動作によってほとんど影響を受けることがない。
【００３２】
このようにして、長期に亘り第一蔓巻防止具本体Ａ１及び第二支線止め具Ｂ２からなる電柱支線用蔓巻防止具が使用されることになる。この場合も、例えば、風に煽られたり振動が与えられたりして、第一蔓巻防止具本体Ａ１が支線Ｄを中心軸線として回転することがある。しかし、第二支線止め具Ｂ２と収納空洞部１６の内周面１６ａとの間の接触面積が少なく摩擦が軽減されているので、第一蔓巻防止具本体Ａ１が風に煽られて回転したとしても、第二支線止め具Ｂ２はその影響を受けず回転することはない。よって、第一蔓巻防止具本体Ａ１は、装着された位置で回転するのみであって支線Ｄに沿ってずり落ちることはない。これにより、本発明の電柱支線用蔓巻防止具は本来の蔓巻防止機能が常に発揮でき、電柱上部の地絡事故の発生を未然に抑えることができる。
【００３３】
図１７乃至図２３は、第二蔓巻防止具本体Ａ２及び第三支線止め具Ｂ３を使った第三実施の形態を示す。なお、第三実施の形態では、第三支線止め具Ｂ３が第一支線止め具Ｂ１と比較してその外周面の形状及び突部の配置が相違するのみであって他の部位は同一構造となる。また、第二蔓巻防止具本体Ａ２は、第一蔓巻防止具本体Ａ１と比較し収納空洞部６０の形状が相違するのみで他の部位は同一構造となる。よって、第三実施の形態では、第一実施の形態に係る第一蔓巻防止具本体Ａ１及び第一支線止め具Ｂ１と同一部位は同一番号を付すことにより詳しい説明は省略する。
【００３４】
図１７は第三支線止め具の開いた状態を示す斜視図、図１８は第二蔓巻防止具本体の開いた状態を示す斜視図である。第三支線止め具Ｂ３も、遮光性を有する合成樹脂、例えば黒色のポリエチレン樹脂により成形される。そして、該第三支線止め具Ｂ３は、後で説明する第二蔓巻防止具本体Ａ２の収納空洞部６０内に収容できる大きさであってそれよりもやや小さく、外形形状が前記支線Ｄに装着したときその上流側が半球面となるドーム状に成形される。該第三支線止め具Ｂ３は、その中心軸線を含む面で二等分割される一対の半裁体としての半裁殻体５３ａ，５３ｂからなり、中心軸線を挟んだ一側端縁５４ａ，５４ａがヒンジ部５５を介して連接されると共に、該ヒンジ部５５を中心として他側端縁５４ｂ，５４ｂが自在に開閉するようになっている。
【００３５】
前記一方の半裁殻体５３ａと他方の半裁殻体５３ｂとの対向する面には、下端縁を除いた外周縁部に沿って一方に突リブ５６が設けられ、他方には両半裁殻体５３ａ，５３ｂが合体したとき該突リブ５６が嵌り込む凹溝部５７が設けられている。また、中心軸線に沿って支線挿通孔１４が貫設され、上端部の半球面状の外周面ｂ３であって支線挿通孔１４を中心とする位置に、等間隔に摩擦軽減手段として複数の突部５８が突設されている。そして、これら突部５８が摩擦軽減手段となる。また、一方の半裁殻体５３ａ内に挟着機構２７が設けられる。この際、カム片２９における対向面２９ｂが、前記半球面状の外周面ｂ３と同じ側を向いている。
【００３６】
一方、第二蔓巻防止具本体Ａ２は、円筒状の防止具本体５１からなる。該防止具本体５１は、第一実施の形態に係る防止具本体１と同様に遮光性を有する合成樹脂、例えば黒色のポリエチレン樹脂により成形される。各半裁筒体３ａ，３ｂの互いに重なり合う各半裁面壁１１ａ，１１ｂに凹設され前記第三支線止め具Ｂ３を収納するための凹窪部５９ａ，５９ｂはそれぞれ直方体形状に成形される。また、両半裁筒体３ａ，３ｂを閉じたとき、両凹窪み部５９ａ，５９ｂが合致してほぼ立方体形状となる収納空洞部６０が成形される。
【００３７】
第三実施の形態に係る第二蔓巻防止具本体Ａ２及び第三支線止め具Ｂ３は、上記構成からなる。そこで、第三支線止め具Ｂ３の半裁殻体５３ａ，５３ｂを開き、前記と同様にして凹条部２１に支線Ｄを挿通すると共に挟着機構２７におけるカム片２９とストッパー片２８との間で支線Ｄを挟着する。この状態で、両半裁殻体５３ａ，５３ｂを閉じ、凹溝部５７に突リブ５６を係合させる。これにより、図１９に示すように支線Ｄの地上から所定高さ位置に、半球面状の外周面ｂ３が上流側を向くようにして第三支線止め具Ｂ３がずり落ちることなくしっかりと挟着固定される。
【００３８】
次に、第二蔓巻防止具本体Ａ２を開き、一方の半裁筒体３ｂの半裁面壁１１ｂを支線Ｄに下側から当て凹窪部５９ｂ内に前記第三支線止め具Ｂ３を収納すると共に凹条部１２に支線Ｄを沿わせて配置する。そして、他方の半裁筒体３ａを被せ、各係止片７を各挿入口９に挿入して両雌型係合部材６ｂ，６ｂに両雄型係合部材６ａ，６ａを係合させる。これにより、図２０に示すように支線挿通孔１４に支線Ｄを挿通して第二蔓巻防止具本体Ａ２が装着される。この状態では、図２１に示すように収納空洞部６０内に第三支線止め具Ｂ３が収納され、しかも、第三支線止め具Ｂ３の上端面である半球面状の外周面ｂ３に設けられた複数の突部５８が収納空洞部６０の内周面６０ａ（上流側面）に接触しているだけである。よって、第三支線止め具Ｂ３と収納空洞部６０の内周面６０ａとの接触面積が少なく、その間の摩擦が極めて小さくなっている。これにより、第二蔓巻防止具本体Ａ２が支線Ｄを中心軸線として回転しても、第三支線止め具Ｂ３は支線Ｄにしっかりと挟着固定され、該支線Ｄを中心として回転することはない。すなわち、第三支線止め具Ｂ３は、第二蔓巻防止具本体Ａ２の回転動作によってほとんど影響を受けることがない。
【００３９】
このようにして、長期に亘り第二蔓巻防止具本体Ａ２及び第三支線止め具Ｂ３からなる電柱支線用蔓巻防止具が使用されることになる。この場合も、例えば、風に煽られたり振動が与えられたりして第二蔓巻防止具本体Ａ２が支線Ｄを中心軸線として回転することがある。しかし、第三支線止め具Ｂ３と収納空洞部６０の内周面６０ａとの間の接触面積が少なく摩擦が軽減されているので、第二蔓巻防止具本体Ａ２が風に煽られて回転したとしても、第三支線止め具Ｂ３はその影響を受けず回転することはない。よって、第二蔓巻防止具本体Ａ２は装着された位置で回転するのみであって、支線Ｄに沿ってずり落ちることはない。これにより、本発明の電柱支線用蔓巻防止具は本来の蔓巻防止機能が常に発揮でき、電柱上部の地絡事故の発生を未然に抑えることができる。
【００４０】
図２２、図２３は第三実施の形態における第三支線止め具Ｂ３の他の使用例を示すものである。この場合は、前記のように第三支線止め具Ｂ３を第二蔓巻防止具本体Ａ２の収納空洞部６０内に収納せずに、防止具本体５１の外側であってその下流側に配置すると共に支線Ｄに装着し、第二蔓巻防止具本体Ａ２を下流側から受け止めるようにしたものである。このようにしても、第三支線止め具Ｂ３を使用することができる。第二蔓巻防止具本体Ａ２は、支線挿通孔１４に支線Ｄを挿通して支線Ｄに装着されるが、このままでは、第二蔓巻防止具本体Ａ２は該支線Ｄに沿ってずり落ちてしまう。第三支線止め具Ｂ３は、下流側の底面ｃ３が凹弧面状に窪んでおり、しかも、支線Ｄに沿って上方へ摺動し易い構成となっている。そこで、図２２、図２３に示すように、所定の長さを有する押し上げ棒Ｅの前端を前記第三支線止め具Ｂ３の底面ｃ３に押し当て、そのまま第三支線止め具Ｂ３を支線Ｄに沿って上方へ押し上げれば、同時に第二蔓巻防止具本体Ａ２も押し上げられ所定の高さ位置に配置できる。
【００４１】
このことから発展して、第三支線止め具Ｂ３のみを、収納空洞部６０が成形されてない従来の防止具本体と併せて適用可能となる。なお、前記第一・第二支線止め具Ｂ１，Ｂ２も前記第三支線止め具Ｂ３のように、防止具本体１，５１の外側であってその下流側に配置し、該防止具本体１，５１を下側から受け止めるようにして支線Ｄに装着することにより単独で使用することもできる。
【００４２】
前記した摩擦軽減手段は、第一・第三実施の形態のように突部３２，５８を設けるようにするほか、第二実施の形態のように第二支線止め具Ｂ２の外形形状をおむすび形状としても良く、または、第一支線止め具Ｂ１のように球形状に成形しても良い。更には、第三実施の形態のように第三支線止め具Ｂ３の外形形状をドーム形状としても良い。いずれも、第一乃至第三支線止め具Ｂ１，Ｂ２，Ｂ３の外周面と収納空洞部１６，６０の内周面との接触面積が小さく、摩擦ができる限り軽減される構成であれば、他の構成であっても本発明の目的は達成される。また、第一・第三実施の形態のように第一・第三支線止め具Ｂ１，Ｂ３の外周面ｂ１，ｂ３に多くの突部３２，５８を設けるのも摩擦軽減手段の一つであって、他に、例えばそれら突部３２，５８の替わりに回転自在なコロを設けるようにしても良い。更に、前記突部３２，５８がない場合は、例えば、第一・第三支線止め具Ｂ１，Ｂ３の外周面ｂ１，ｂ３と収納空洞部１６，６０の内周面１６ａ，６０ａとに摩擦を軽減するため金属蒸着による皮膜層を成形するようにしても良い。
【図面の簡単な説明】
【００４３】
【図１】第一蔓巻防止具本体及び第一支線止め具の斜視図。
【図２】第一蔓巻防止具本体の開いた状態を示す斜視図。
【図３】図１のＷ−Ｗ線拡大断面図。
【図４】第一支線止め具の開いた状態を示す斜視図。
【図５】図１のＸ−Ｘ線拡大断面図。
【図６】図５のＹ−Ｙ線断面図。
【図７】第一支線止め具を支線に装着する状態を示す斜視図。
【図８】第一支線止め具を支線に装着する状態を示す斜視図。
【図９】第一支線止め具が支線に装着された状態の斜視図。
【図１０】第一蔓巻防止具本体を支線に装着する状態を示す斜視図。
【図１１】第一蔓巻防止具本体が支線に装着された状態を示す斜視図。
【図１２】図１１のＺ−Ｚ線拡大断面図。
【図１３】第二支線止め具の開いた状態を示す斜視図。
【図１４】第二支線止め具が支線に装着された状態を示す斜視図。
【図１５】第一蔓巻防止具本体が支線に装着された状態を示す斜視図。
【図１６】電柱支線用蔓巻防止具の支線に沿って切断した中央拡大断面図。
【図１７】第三支線止め具の開いた状態を示す斜視図。
【図１８】第二蔓巻防止具本体の開いた状態を示す斜視図。
【図１９】第三支線止め具が支線に装着された状態を示す斜視図。
【図２０】第二蔓巻防止具本体が支線に装着された状態を示す斜視図。
【図２１】電柱支線用防止具の支線に沿って切断した中央拡大断面図。
【図２２】第三支線止め具の他の使用方法を示す斜視図。
【図２３】電柱支線用防止具の支線に沿って切断した中央拡大断面図。
【符号の説明】
【００４４】
１                防止具本体
１４              支線挿通孔
１６              収納空洞部
１６ａ            内周面
２２              支線挿通孔
２７              挟着機構
３２              突部
５１              防止具本体
６０              収納空洞部
Ａ１              第一蔓巻防止具本体
Ａ２              第二蔓巻防止具本体
Ｂ１              第一支線止め具
Ｂ２              第二支線止め具
Ｂ３              第三支線止め具
ｂ１              外周面
ｂ２              外周面
ｂ３              外周面
Ｄ                支線
【図１】
0005084455.tif 000002
【図２】
0005084455.tif 000003
【図３】
0005084455.tif 000004
【図４】
0005084455.tif 000005
【図５】
0005084455.tif 000006
【図６】
0005084455.tif 000007
【図７】
0005084455.tif 000008
【図８】
0005084455.tif 000009
【図９】
0005084455.tif 000010
【図１０】
0005084455.tif 000011
【図１１】
0005084455.tif 000012
【図１２】
0005084455.tif 000013
【図１３】
0005084455.tif 000014
【図１４】
0005084455.tif 000015
【図１５】
0005084455.tif 000016
【図１６】
0005084455.tif 000017
【図１７】
0005084455.tif 000018
【図１８】
0005084455.tif 000019
【図１９】
0005084455.tif 000020
【図２０】
0005084455.tif 000021
【図２１】
0005084455.tif 000022
【図２２】
0005084455.tif 000023
【図２３】
0005084455.tif 000024